(57)【要約】装置（１）は、流体用の入口（３）及び出口（４）を有すると共にそれを通って前記流体が前記入口（３）から前記出口（４）に流れることができる主弁座（６）を有する本体（２、７）と、前記弁座（６）に関連する主栓（８、９）と、前記主栓（８）によって部分的に区切られる制御室（１１）と、前記入口（３）と前記制御室（１１）との間の連通のための第１通路（８ｄ、９ｂ、９ｃ）と、前記制御室（１１）を前記出口（４）に連通させるための第２通路（１２、１３）と、制御ソレノイド（１５）を備え、前記第２通路（１２、１３）と一緒に可動栓として作用できる第１強磁性コア（１８）を備えているユニット（１７）を制御する制御ソレノイド弁（１４）と、を備えている。前記可動ユニット（１７）は、前記第１コア（１８）に隣接する第２の可動強磁性コア（２１）を備えている。スペーサ要素（１９）は、前記主弁（８、９）と前記第２可動コア（２１）との間で延びている。１以上のばね（２０、２２）は、第２可動コア（１８、２１）を前記主栓（８、９）の方に戻す傾向がある。第２コア（２１）は、主栓（８、９）に恒久的に固定されており、前記ソレノイド（１５）が不活性化されているとき、前記第１コア（１８）は前記第２通路（１８、２１）の閉位置に保たれ、前記コア（１８、２１）が前記隙間（２４）によって分離されるように、前記第２コア（２１）が前記第１コア（１８）に関する所定位置にある。前記ソレノイド（１５）の活性化は、前記第２コア（１８）の方への前記第１コア（１８）の誘引及び前記第２通路（１２、１３）の開放を発生させる。
2013511679.tif 000002
【特許請求の範囲】
【請求項１】
流体用の入口（３）及び出口（４）を有すると共に、それを通って前記流体が前記入口（３）から前記出口（４）に流れることができる主弁座（６）を有する、本体（２、７）と、
前記弁座（６）の閉位置と開位置との間で前記弁座（６）に対して移動可能な主栓（８、９）と、
前記本体（２、７）内に形成され、前記主栓（８）によって部分的に区切られる制御室（１１）と、
前記入口（３）と前記制御室（１１）との間の連通のための少なくとも１つの第１通路（８ｄ、９ｂ、９ｃ）と、
前記制御室（１１）を前記出口（４）に連通させるための少なくとも１つの第２通路（１２、１３）と、
ユニット（１７）を制御する制御ソレノイド（１５）を備える制御ソレノイド弁（１４）であって、前記ユニット（１７）は、前記ソレノイド（１５）内で移動可能であり、且つ前記第２通路（１２、１３）と一緒に可動栓として作用できる（第１）強磁性コア（１８）を備えている、制御ソレノイド弁（１４）と、を備えているソレノイド弁装置（１）において、
前記可動ユニット（１７）は、前記第１コア（１８）の一端に隣接する前記ソレノイド（１５）内に位置する追加的な又は第２の可動強磁性コア（２１）を備えており、
位置決め手段（１９、２０、２２）が、前記第２可動コア（２１）が主栓（８、９）に恒久的に固定されている状態を保つように、且つ、前記ソレノイド（１５）が不活性化しているときに、前記第２通路（１２、１３）の閉位置内に前記第１コア（１８）を保ち、前記第１コア（１８）及び前記ソレノイド（１５）に対する所定位置に前記第２コア（２１）を保つように、設けられており、前記コア（１８、２１）は隙間（２４）によって分離されており、
前記ソレノイド（１５）の活性化が、前記第１コア（１８）が前記第２コア（２１）の方に引き付けられるように、且つ前記第２通路（１２、１３）が開かれるように、配置がなされている、ことを特徴とするソレノイド弁装置。
【請求項２】
前記位置決め手段は、前記主弁（８、９）と前記第２可動コア（２１）との間で延びるスペーサ要素（１９）を備えている、請求項１に記載のソレノイド弁装置。
【請求項３】
前記スペーサ要素（１９）は、前記主弁（８、９）及び／又は前記第２可動コア（２１）に恒久的に接続されており、前記位置決め手段は、前記第２可動コア（２１）を前記主コア（８、９）の方に押す傾向がある第１弾性手段（２２）を備えている、請求項２に記載のソレノイド弁装置。
【請求項４】
前記位置決め手段は、前記第１及び第２可動コア（１８、２１）をそれぞれ前記主栓（８、９）の方に戻す傾向がある第１及び第２弾性手段（２０、２２）を備えている、前記請求項のいずれか１つに記載のソレノイド弁装置。
【請求項５】
前記第２コア（２１）が、実質的に非磁性のスペーサ要素（１９）に関連しており、前記スペーサ要素（１９）が、半径隙間を用いて前記ソレノイド（１５）の中で且つ前記第１コア（１８）の周りを延びており、且つ前記第２コア（２１）の近くに少なくとも１つの開口を有しており、
前記ソレノイド（１５）が活性化しているときに、前記入口（３）からの流体の流れが前記第１通路（８ｄ、９ｂ、９ｃ）を通って前記制御室（１１）へ行き、その後、前記ソレノイド（１５）と前記スペーサ要素（１９）との間を前記第２コア（２１）の方へ流れ、その後、前記スペーサ要素（１９）の前記少なくとも１つの開口（２３）を通って、前記スペーサ要素（１９）と前記第１コア（１８）との間を前記第２通路（１２、１３）の方に行くように、配置がなされている、請求項２又は３に記載のソレノイド弁装置。
【請求項６】
前記第１弾性手段は、前記隙間（２４）内に位置するばね（２５）を備えている、請求項５に記載のソレノイド弁装置。
【請求項７】
前記第１弾性手段（２０）は、前記第１コア（１８）の反応面（１８ａ）と前記スペーサ要素（１９）の反応面（１９ａ）との間を延びている、請求項５に記載のソレノイド弁装置。
【請求項８】
前記ソレノイド（１５）は磁気回路と関連しており、前記磁気回路は第１及び第２磁気コア（１６ａ、１６ｂ）を備えており、前記第１及び第２磁気コア（１６ａ、１６ｂ）は、前記ソレノイド（１５）の中で対向する端部から軸方向に延びており、第１及び第２磁気コア（１６ａ、１６ｂ）は、前記ソレノイドの軸方向中間部分で所定距離だけ離れて互いに対向する、対応する端部を備えており、前記ソレノイド（１５）の不活性化状態において、前記第１及び第２コア（１８、２１）が、軸に対する前記磁気要素（１６ａ、１６ｂ）の前記対向する端部の間に位置する領域内で互いに対向しており、前記コア（１８、２１）の間の距離と、前記コア（１８、２１）及び前記磁気要素（１６ａ、１６ｂ）の間の距離とが、前記磁気要素（１６ａ、１６ｂ）の前記対向する端部の間の距離よりも小さい、前記請求項のいずれか１つに記載のソレノイド弁装置。
【請求項９】
前記第１コア（１８）は、縦通路（１８ｂ）を備えており、
スペーサ要素（１９）は、前記第１コア（１８）の前記縦通路（１８ｂ）を通って、前記主栓（８、９）と前記第２コア（１８）との間を延びている、請求項１から４のいずれか１つに記載のソレノイド弁装置。
【請求項１０】
前記スペーサ要素（１９）は、前記主栓（８、９）及び／又は前記第２可動コア（２１）に恒久的に接続されている、請求項９に記載のソレノイド弁装置。
【請求項１１】
前記スペーサ要素（１９）は、前記主栓（８、９）と一体化されており、前記第１コア（１８）の前記縦通路（１８ｂ）を通り且つ越えて延びている、請求項９又は１０に記載のソレノイド弁装置。
【請求項１２】
前記ソレノイド（１５）は、シェル（１６）、特にＣ状のシェルを備えており、前記第２可動コア（２１）が、前記シェル（１６）の両端部の間に位置している、請求項９から１１のいずれか１つに記載のソレノイド弁装置。
【請求項１３】
前記第１コア（１８）は、強磁性体の第１部分（１８ｄ）と非磁性体の第２部分（１８ｃ）とを備えている、前記請求項のいずれか１つに記載のソレノイド弁装置。
【請求項１４】
間隔を空ける構造（１９、１９ｂ）は、第１強磁性コア（１８）の周りに延びるスペーサ要素（１９）と、前記制御室（１１）と前記第２通路（１２、１３）との間の複数の通路（１９ｃ）とを備えており、前記主栓（８、９）と前記第２強磁性コア（２１）との間に位置している、請求項１から４のいずれか１つに記載のソレノイド弁装置。
【請求項１５】
前記スペーサ要素（１９）は、前記第２強磁性コア（２１）に固定され又は嵌め込まれており、前記通路（１９ｃ）は、前記主栓（８、９）に一体化及び／又は固定されている複数のロッド（１９ｂ）の間に形成されている、請求項１４に記載のソレノイド弁装置。
【請求項１６】
前記スペーサ要素（１９）は、前記第２強磁性コア（２１）に固定され又は嵌め込まれており、前記通路（１９ｃ）は、前記スペーサ要素に一体化及び／又は固定されている複数のロッド（１９ｂ）の間に形成されている、請求項１４に記載のソレノイド弁装置。
【発明の詳細な説明】
【技術分野】
【０００１】
本発明はソレノイド弁装置に関する。
【０００２】
より具体的には、本発明は、流体用の入口及び出口を有すると共に、それを通って前記流体が前記入口から前記出口に流れることができる主弁座を有する、本体と、前記弁座の閉位置と開位置との間で前記弁座に対して移動可能な主栓と、前記本体内に形成され、前記主栓によって部分的に区切られる制御室と、前記入口と前記制御室との間の連通のための少なくとも１つの第１通路と、前記制御室を前記出口に連通させるための少なくとも１つの第２通路と、作動ソレノイドを備える制御ソレノイド弁であって、前記ソレノイド内で移動可能なユニットを制御し、前記ユニットが、前記第２通路と一緒に移動可能な栓の形態で作用できる（第１）強磁性コアを備えている制御ソレノイド弁と、を備えている。
【背景技術】
【０００３】
このタイプのソレノイド弁装置の一例は、本出願人の名において、英国特許ＧＢ２２９６０７５Ｂに記載されている。
【発明の概要】
【発明が解決しようとする課題】
【０００４】
先行技術に係るこのソレノイド弁は単一の可動コアを備えており、関連するソレノイドの活性化された状態で、この可動コアは主栓内に設けられた通路を開き、このようにして制御室を出口に連通する。この可動コアを移動させるために、ソレノイドはかなりの高出力（高電圧）で活性化されねばならない。
【０００５】
これは、主栓が、関連する弁座から上げられているときでさえ、可動コアが前記通路を開いたままにしておくことを確実にするため、ソレノイドの活性化は、予期される主栓の最大移動よりも大きな可動コアの移動を発生させねばならないためである。
【０００６】
本発明の１つの目的は、前述の種類のソレノイド弁装置を提供することにあり、このソレノイド弁装置は、関連するソレノイドを活性化するためにかなり低い電力を必要とするようなやり方で作られている。
【課題を解決するための手段】
【０００７】
この目的及び他の目的は、次の特徴を有している上述で画定された種類のソレノイド弁装置を用いる本発明によれば達成される。このソレノイド弁装置は、前述のユニットが追加的又は第２の強磁性コアを備えている。この第２強磁性コアは、前述の第１コアの一端に隣接する前記ソレノイドに取り付けられている。位置決め手段が、前記第２可動コアが主栓に固定されている状態を保つように、且つ、前記ソレノイドが不活性化しているときに、前記第２通路の閉位置内に前記第１コアを保ち、前記ソレノイド及び前記第１コアに対する所定位置に前記第２コアを保つように、設けられており、前記コアは隙間によって分離されており、
前記ソレノイドの活性化が、前記第１コアが前記第２コアの方に引き付けられるようにし、前記第２通路が開かれるようにするように、配置がなされている。
【０００８】
既知の方法で、その後、前述の第２通路の開放は、主栓が、関連する弁座から離れて移動するのを許容し、前記弁座を通って入口から出口への流体の直接の通過を許容する。
【０００９】
上述で画定された特徴のため、本発明に係るソレノイド弁装置において、第２可動コアは、主栓と一緒に及び主栓と同じ距離以上に移動するが、ソレノイドの活性化は、第１可動コアが第２可動コアによって引き付けられることを許容し、且つコア同士の間の距離に対応する小距離以上に第１可動コアが移動することとを許容するのに十分であればよい。言い換えると、主栓の特定の移動に関係なく、ソレノイドは、第１可動コアに前述の隙間の寸法に対応する小距離をカバーさせさえすればよい。
【００１０】
本発明の更なる特徴及び利点は、添付された図面を参照して、純粋に非限定的な実施例として提供された、以下の詳細な説明によって明らかとされるだろう。
【図面の簡単な説明】
【００１１】
【図１】本発明に係るソレノイド弁装置の、軸方向断面における、部分断面図である。
【図２】変形形態を示す同様の断面図である。
【図３】本発明に係る別のソレノイド弁装置の、軸方向断面における、部分断面図である。
【図４】図３のＩＶ−ＩＶ線に沿って基本的にとられた部分の部分断面図である。
【図５】別の変形形態の部分断面図である。
【図６】更なる変形形態の部分断面図である。
【図７】更なる変形形態の部分断面図である。
【発明を実施するための形態】
【００１２】
図１において、番号１は、本発明に係るソレノイド弁の全体を示しており、このソレノイド弁は、例えば、給水本管から洗浄機又は皿洗い機のような洗浄のための機械への水の供給を制御するために用いられる。
【００１３】
ソレノイド弁１は、本体２を備えており、本体２は例えば成形プラスチック材料から作られており、本体２内に、流体（典型的には油圧油）のための入口通路３とこの流体のための出口通路４とが形成されている。図示された典型的な実施形態において、これらの通路３及び４は同軸であるが、この相対的な配置は必須ではない。
【００１４】
出口通路４は、本体２の筒状形成体５内に作られており、この形成体の上部は主弁座６を画定している。流体の流れは、この弁座６を通って、入口３から出口４へと流れることができる。
【００１５】
第２本体７も、例えばプラスチック材料で作られているが、流体を密封するやり方で本体２の上部に結合されている。
【００１６】
全体として８で示される環状絞りの周辺部分８ａは、本体２と７との間で締め付けられている。メンブレン８は、可撓性のある中間部分８ｂを備えており、中間部分８ｂは周辺部分８ａを、厚くされた中央環状部分８ｃに接続しており、中央環状部分８ｃは、弁座６に相互作用する主栓として働くように意図されている。
【００１７】
部分８ｃは、基本的にカップ状のガイド要素９の軸部９ａの周りに取り付けられており、環状要素１０によってこの軸部に固定されている。
【００１８】
成形体７は上部筒状形成体７ａを有しており、形成体７ａはその上端で閉じられている。
【００１９】
１１で示される制御室は、本体７と、絞り８によって形成される組立体と、関連ガイド要素９との間に形成されている。
【００２０】
制御室１１は、図示する典型的な実施態様において、絞り８及び関連ガイド要素９を有するユニット内に形成されている少なくとも１つの通路を通して、恒久的に入口３と流体連通している。特に、図１に示されるように、弁座６の外側で、多数の貫通孔８ｄがメンブレン８の部分８ｃ内に形成されている。これらの孔は、絞りガイド要素９内に形成されている環状区画９ｂに繋がっており、この区画は、同様に、絞りガイド９にも形成されている対応する外溝９ｃに繋がっている。
【００２１】
図示された配置に代わるものとして、入口３と室１１との間の連通は、絞り８及び関連ガイド要素９内に設けられた通路、又はソレノイド弁装置の本体内に設けられた通路によって、確立されている。
【００２２】
番号１２は、絞りガイド９内に形成されている通路を示しており、通路１２は、制御室１１を出口通路４に連通させることができる。
【００２３】
図示する実施態様において、管１３は例えば鋼鉄で作られており、通路１２の上部に嵌め込まれている。この管は、突出する上部縁１３ａを備えており、この上部縁１３ａは以下でより詳しく説明されるように弁座として作用する。
【００２４】
ソレノイド弁装置は追加的に、全体として１４で示されている制御ソレノイド弁を備えている。この制御ソレノイド弁は作動ソレノイド１５を備えている。作動ソレノイド１５は、２つの筒状要素、すなわち上部要素１６ａ及び下部要素１６ｂを有する磁気回路に、既知の方法で、関連している。上部要素１６ａ及び下部要素１６ｂは、このソレノイドの中で対向する端部から軸方向に延びている。
【００２５】
要素１６ａ及び１６ｂの対応する端部は、ソレノイド１５の軸方向中間部分で、所定距離だけ離れて、互いに対向している。
【００２６】
ソレノイド１５、関連磁気要素１６ａ及び１６ｂによって形成されている組立体は、本体７の筒状部分７ａの周りに取り付けられている。
【００２７】
制御ソレノイド弁１４も、全体として１７で示されるユニットを備えている。このユニットは、ソレノイド１５内で移動可能に取り付けられており、特に半径隙間を用いて本体７の筒状部分７ａ内を移動可能に取り付けられている。このユニット１７は、強磁性体の可動コア１８を備えており、（ソレノイド弁装置１が閉じられているときの）休止状態において、弁座１３ａを圧迫する。
【００２８】
移動可能な強磁性のコア１８は、非磁性体から作られたスペーサ要素１９の内部に取り付けられている。図示する典型的な実施態様において、スペーサ要素は（他の形状でそれを作ることができるが）筒状であり、半径隙間を用いて本体７の筒状部分７ａの内部を延びている。
【００２９】
要素１９の下端は、より大きな寸法を有しており、弁座１３ａの周りで絞りガイド９を圧迫する。
【００３０】
可動コア１８は半径肩部１８ａを有しており、コイルばね２０は、この肩部と前述の筒状要素１９の対向する内側肩部１９ａとの間に位置している。ばね２０は、コアが栓として作用するように弁座１３ａに対して可動コア１８を押す傾向がある。
【００３１】
２１で示されている第２強磁性コアは、筒状要素１９の上方で、本体７の部分７ａ内に位置している。
【００３２】
コイルばね２２は、第２コア２１の上端と、本体７の部分７ａの上端壁との間に位置している。このバネ２２は、特に筒状要素１９の下端が絞りガイド９との接触を保つように、コア２１及び筒状要素１９を下方へ押す傾向がある。
【００３３】
バネ２０は、上述のばね２２の代わりに、コア１８及び２１の間の隙間２４内に位置している。この場合、要素１９及びコア１８は、（図２に示される変形例で示されるように）対応する肩部を備える必要はない。
【００３４】
筒状要素１９の上部に、コア２１に隣接して、図１において２３で示されている、少なくとも１つの開口がある。この開口を通して、本体７の部分７ａと要素１９との間に形成される隙間が、この要素１９とコア１８の外側壁との間に形成される隙間に連通している。
【００３５】
スペーサ要素１９は、コア２１及び絞りガイド９から離れていて、コア２１及び絞りガイド９とは異なっているか、後述の部材の一方及び／又は他方と一体化されて（あるいは恒久的に固定されて）いる。（図２は、図１の実施形態に類似する実施形態を示しているが、要素１９が絞りガイド９と一緒に一部品で作られているという点において本質的に異なっている。）
【００３６】
図１に示されるソレノイド弁１の休止状態において、コア１８及び２１は、２４で示される狭い隙間によって分離されている。
【００３７】
作動中、ソレノイド１５が不活性化しているとき、入口３に供給される流体は、１又は複数の通路８ｄ、９ｂ、９ｃを通って制御室１１に入る。可動コア及び栓１８は弁座１３ａを閉じ、制御室１１は入口通路３と同じ圧力にさらされる。
【００３８】
絞り８の部分８ｃは、主栓として作用するが、弁座６を圧迫する。なぜならば、室１１内で圧力にさらされるこの絞り及び関連絞りガイド９の表面積は、通路３で圧力にさらされるメンブレン８の表面積よりも大きいためである。このため、主弁８ｃ−６は閉じられる。
【００３９】
ソレノイド１５が活性化されるとき、磁束が磁気要素１６ａからコア２１に、隙間２４を横切ってコア１８に、そこから下部磁気要素１６ｂへと走る。このように、コア１８はコア２１の方へ引きつけられる。この誘引は、ばね２０の作用に逆らって弁座１３ａを開かせる。
【００４０】
その後、制御室１１の流体圧力は、出口通路４の方へ、管１３及び絞りガイド９の通路１２を通って、放出される。
【００４１】
制御室１１内の圧力が減少するにつれて、絞り８に加えられる入口通路３内の圧力が、絞り及び関連絞りガイド９によって形成される組立体を上昇させ、これにより主弁８ｃ−６を開く。
【００４２】
その後、ソレノイド弁１の入口通路３に供給された流体は、弁座６を通って出口通路に到着する。
【００４３】
栓８及び９の上昇は、対応する量だけコア２１を上昇させ、コア２１に、それを用いて、それに磁気的に誘引されるコア１８を引きつけさせる。このため、座１３ａは開いたままを継続する。
【００４４】
コア２１の方へのコア１８の誘引を生成し且つ維持するようにソレノイド１５を活性化させるのに必要な電力は極端に低く、特に、主栓８、９の開放移動に依存しない。
【００４５】
原則として、図１及び２を参照すると、コア１８及び２１の間の距離（隙間２４の高さ）は、好ましくは磁気要素１６ａ及び１６ｂの間の距離よりも小さく、コア１８及び２１並びに関連磁気要素１６ａ及び１６ｂのそれぞれの間の距離も、好ましくは磁気要素１６ａ及び１６ｂの間の距離よりも小さい。
【００４６】
図１に示されるように、隙間２４は、隙間２４を横切ってコア１８及び２１が互いに対向しているが、軸線に対する磁気要素１６ａ及び１６ｂの対向両端の間に位置している領域内に、位置している。
【００４７】
他の同様の異なる実施形態（例えば図３を参照）において、もし必要ならば要素１６ａ及び１６ｂを省略できる。また、この場合、第２可動コア２１は、好ましくはソレノイド１５の上端の近くの位置まで延びる。
【００４８】
図１を参照すると、ソレノイド１５が活性化されるとき、流体３が入口から通過８ｄ、９ｂ及び９ｃを通って、制御室１１の中へと流れ、その後、本体７の筒状部分７ａの内部区域の上部の方に、この筒状部分７ａと筒状要素１９の間に形成される隙間を通って、流れる。その後、この流体は、開口２３、及び筒状要素１９とコア１８の間に形成される隙間を通って、通路１２−１３及び出口通路４の方に向かって、下方に還流する。ソレノイド１５にこのように有利に確立された流体の流れは、ソレノイドの温度を下げる。
【００４９】
ソレノイド１５が不活性化されるとき、ばね２２及び２０は、図１に示される休止位置にコア２１及び１８を戻す傾向がある。コア１８は再び弁座１３ａを閉じ、それにより、出口通路４から制御室１１を分離する。
【００５０】
その後、絞り８及び関連絞りガイド９によって形成されるユニットは、主弁座６の閉位置へ戻ることができる。
【００５１】
図３及び４は、別の異なる実施態様を示している。これらの図において、上述された部分及び要素と同一又は機能的に同等である部分及び要素は、以前に用いられたものと同一の英数字参照符号を与えられている。
【００５２】
図３及び４に示される実施態様において、通路１２の上端は、以下でより詳細に説明されるように、弁座として作用する突出縁１３を形成している。
【００５３】
そこで説明されるソレノイド弁装置１も制御ソレノイド弁１４を備えており、制御ソレノイド弁１４は、基本的にＣ状のシェル１６（図３）を備える磁気回路に関連する作動ソレノイド１５を備えている。
【００５４】
ソレノイド１５及び関連磁気シェル１６によって形成される組立体は、本体７の筒状部分７ａの周りに取り付けられる。
【００５５】
制御ソレノイド弁１４も、全体として１７で示されるユニットを備えている。このユニット１７は、ソレノイド１５の中で移動可能に取り付けられており、特に、半径隙間を用いて本体７の下部筒状部分７ａの中で移動可能に取り付けられる。ユニット１７は、その下端で栓１１８ａを運ぶ強磁性体の可動コア１８を備えており、栓１１８ａは（ソレノイド弁装置１が閉じられているときの）休止状態で弁座１３を圧迫している。
【００５６】
可動強磁性コア１８は縦通路１８ｂを備えており、非磁性体のスペーサ要素１９が縦通路１８ｂ内を延びている。図３及び４に示される典型的な実施態様において、スペーサ要素は、（他の形状で作られても良いが）ロッドの形をしており、主栓８の要素９の上端の方へ延びており、コア１８の通路１８ｂを通る（且つ越える）半径隙間を有している。
【００５７】
２１で示される第２強磁性コアは、スペーサ要素１９の上方で、本体７の部分７ａ内に位置する。
【００５８】
コイルばね２０は、コア１８とコア２１の対向肩部との間に位置している。バネ２０は、可動コア１８及び関連栓１８ａを座１３に押しつける傾向がある。
【００５９】
コイルばね２２は、第２コア２１の上端と本体７の部分７ａの上端壁との間に位置している。このバネ２２は、特にスペーサ要素１９の上端に対して後者を保持するようなやり方で、コア２１を下方へ押す傾向がある。
【００６０】
スペーサ要素１９は、（図３及び４に示されたように）絞りガイド９及び／又は第２コア２１と、一体化される（あるいは恒久的に接続される）。
【００６１】
スペーサ要素１９の長さは、図面に示されるソレノイド弁１の休止状態においてコア１８及び２１が、２４で示される狭い隙間によって分離されるように、なっている。
【００６２】
作動中、ソレノイド１５が不活性化しているとき、入口３に供給される流体は、１又は複数の通路８ｄ、９ｂ及び９ｃを通って、制御室１１に入る。可動コア及び栓１８は、弁座１３を閉じ、制御室１１は入口通路３と同じ流体圧力にさらされる。
【００６３】
絞り８の部分８ｃは、主栓として作用するが、弁座６を圧迫する。なぜならば、室１１内で圧力にさらされるこの絞り及び関連絞りガイド９の表面積は、通路３で圧力にさらされるメンブレン８の表面積よりも大きいためである。このため、主弁８ｃ−６は閉じられる。
【００６４】
ソレノイド１５が活性化されるとき、磁束は、コア２１に走り、隙間２４を通ってコア１８に走り、その後ここから磁気要素１６へ走る。このように、コア１８はコア２１に向かって引きつけられる。この誘引は、ばね２０の作用に逆らって弁座１３を開かせる。
【００６５】
その後、制御室１１の流体圧力は、出口通路４の方へ、絞りガイド９の通路１２を通じて放出される。
【００６６】
制御室１１の圧力が減少するにつれて、絞り８に加えられる入口通路３内の圧力が、絞り及び関連絞りガイド９によって形成される組立体を上昇させ、これにより主弁８ｃ−６を開く。
【００６７】
その後、ソレノイド弁１の入口通路３に供給される流体は、弁座６を通って出口通路に到着する。
【００６８】
栓８及び９の上昇は、対応する量だけコア２１を上昇させ、コア２１に、それを用いて、それに磁気的に誘引されるコア１８を引かせる。このため、座１３ａは開いたままを継続する。
【００６９】
コア２１の方へのコア１８の誘引を生成し且つ維持するようにソレノイド１５を活性化させるのに必要な電力は極端に低く、特に、主栓８、９の開放移動に依存しない。
【００７０】
図５は、別の異なる実施態様を示す。この図面において、上述された部分及び要素が、再び、以前に用いられたものと同一の英数字参照符号を与えられている。
【００７１】
図５に示される変形例において、スペーサロッド１９は、上部強磁性コア２１と一体化されており、例えば、このコアの凹部２１ａに締まり嵌めにより取り付けられる。
【００７２】
図６は、下部可動コア１８の異なる実施態様を示している。下部可動コア１８は、強磁性部分１８ｄと、非磁性体から作られる部分１８ｃとを備えている。
【００７３】
明らかに、図５及び６に示される２つの変形例は、互いに対して結合できる。
【００７４】
図７は別の異なる実施態様を示している。この図面においても、上述された部分及び要素が、再び、以前に用いられたものと同一の英数字参照符号を与えられている。
【００７５】
図７の変形例において、間隔を空ける構造は、筒状要素１９と、絞りガイド９の通路１３内に角度をつけて離して配置される複数のロッド１９ｂとを備えている。この構造は、絞りガイド９と第２可動コア２１との間に位置している。筒状要素１９は、コア２１の肩部２１ａとロッド１９ｂとの間で、ばね２０及び可動コア１８の周りを、延びている。
【００７６】
ロッド１９ｂ同士の間に、大きな開口１９ｃが形成されている。開口１９ｃは、作動中、通路１３及びその周囲の領域を完全に洗い流すように、室１１から出口４に向かって流れる水を許容する。これにより、時間の経過でこの通路の詰まりに導く沈殿物を除去する。
【００７７】
ロッド１９ｂは、絞りガイド９に一体化及び／又は固定され、筒状要素１９は、コア２１に固定され又は嵌め込まれ、前記ロッド１９ｂに圧迫を加える。その代わりに、ロッド１９ｂは、筒状要素１９に一体化され、絞りガイド９を圧迫しても良い。
【００７８】
明らかに、本発明の原理が保たれる限り、非限定的な実施例によって純粋に説明され且つ図示されるものから、添付した請求項によって画定される本発明の保護の範囲から逸脱することなく、出願様式及び解釈の細部は大きく変更されても良い。
【図１】
2013511679.tif 000003
【図２】
2013511679.tif 000004
【図３】
2013511679.tif 000005
【図４】
2013511679.tif 000006
【図５】
2013511679.tif 000007
【図６】
2013511679.tif 000008
【図７】
2013511679.tif 000009
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
流体用の入口（３）及び出口（４）を有すると共に、それを通って前記流体が前記入口（３）から前記出口（４）に流れることができる主弁座（６）を有する、本体（２、７）と、
前記弁座（６）の閉位置と開位置との間で前記弁座（６）に対して移動可能な主栓（８、９）と、
前記本体（２、７）内に形成され、前記主栓（８）によって部分的に区切られる制御室（１１）と、
前記入口（３）と前記制御室（１１）との間の連通のための少なくとも１つの第１通路（８ｄ、９ｂ、９ｃ）と、
前記制御室（１１）を前記出口（４）に連通させるための少なくとも１つの第２通路（１２、１３）と、
ユニット（１７）を制御する制御ソレノイド（１５）を備える制御ソレノイド弁（１４）であって、前記ユニット（１７）は、前記ソレノイド（１５）内で移動可能であり、且つ前記第２通路（１２、１３）と一緒に可動栓として作用できる（第１）強磁性コア（１８）を備えている、制御ソレノイド弁（１４）と、を備えており、
前記可動ユニット（１７）は、前記第１コア（１８）の一端に隣接する前記ソレノイド（１５）内に位置する追加的な又は第２の可動強磁性コア（２１）を備えており、
位置決め手段（１９、２０、２２）が、前記第２可動コア（２１）が主栓（８、９）に恒久的に接続されている状態を保つように、且つ、前記ソレノイド（１５）が不活性化しているときに、前記第２通路（１２、１３）の閉位置内に前記第１コア（１８）を保ち、前記第１コア（１８）及び前記ソレノイド（１５）に対する所定位置に前記第２コア（２１）を保つように、設けられており、前記コア（１８、２１）は隙間（２４）によって分離されており、前記位置決め手段は、前記主弁（８、９）と前記第２可動コア（２１）との間で延びる、実質的に非磁性のスペーサ要素（１９）を備えており、
前記ソレノイド（１５）の活性化が、前記第１コア（１８）が前記第２コア（２１）の方に引き付けられるように、前記第２通路（１２、１３）が開かれるように、且つ前記入口（３）からの流体の流れが前記第１通路（８ｄ、９ｂ、９ｃ）を通って前記制御室（１１）へ行くように、配置がなされている、ソレノイド弁装置（１）において、
前記スペーサ要素（１９）が、半径隙間を用いて前記ソレノイド（１５）の中で且つ前記第１コア（１８）の周りを延びており、且つ前記第２コア（２１）の近くに少なくとも１つの開口を有しており、
前記ソレノイド（１５）が活性化しているときに、流体の流れが、前記ソレノイド（１５）と前記スペーサ要素（１９）との間を前記第２コア（２１）の方へ流れ、その後、前記スペーサ要素（１９）の前記少なくとも１つの開口（２３）を通って、前記スペーサ要素（１９）と前記第１コア（１８）との間を前記第２通路（１２、１３）の方に行くように、配置がなされている、ことを特徴とするソレノイド弁装置。
【請求項２】
前記スペーサ要素（１９）は、前記主栓（８、９）及び／又は前記第２可動コア（２１）に恒久的に接続されており、前記位置決め手段は、前記第２可動コア（２１）を前記主コア（１８）の方に押す傾向がある第１弾性手段（２２）を備えている、請求項１に記載のソレノイド弁装置。
【請求項３】
前記位置決め手段は、前記第１及び第２可動コア（１８、２１）をそれぞれ前記主栓（８、９）の方に戻す傾向がある第１及び第２弾性手段（２０、２２）を備えている、前記請求項のいずれか１つに記載のソレノイド弁装置。
【請求項４】
前記第１弾性手段は、前記隙間（２４）内に位置するばね（２５）を備えている、請求項３に記載のソレノイド弁装置。
【請求項５】
前記第１弾性手段（２０）は、前記第１コア（１８）の反応面（１８ａ）と前記スペーサ要素（１９）の反応面（１９ａ）との間を延びている、請求項３に記載のソレノイド弁装置。
【請求項６】
前記ソレノイド（１５）は磁気回路と関連しており、前記磁気回路は第１及び第２磁気コア（１６ａ、１６ｂ）を備えており、前記第１及び第２磁気コア（１６ａ、１６ｂ）は、前記ソレノイド（１５）の中で対向する端部から軸方向に延びており、第１及び第２磁気コア（１６ａ、１６ｂ）は、前記ソレノイドの軸方向中間部分で所定距離だけ離れて互いに対向する、対応する端部を備えており、前記ソレノイド（１５）の不活性化状態において、前記第１及び第２コア（１８、２１）が、軸に対する前記磁気要素（１６ａ、１６ｂ）の前記対向する端部の間に位置する領域内で互いに対向しており、前記コア（１８、２１）の間の距離と、前記コア（１８、２１）及び前記磁気要素（１６ａ、１６ｂ）の間の距離とが、前記磁気要素（１６ａ、１６ｂ）の前記対向する端部の間の距離よりも小さい、前記請求項のいずれか１つに記載のソレノイド弁装置。
【国際調査報告】
2013511679.tif 000010
2013511679.tif 000011